(57)【特許請求の範囲】
【請求項１】
吸気口と排気口とを有するケーシングと、
該ケーシング内に設けられた蒸発器と、
前記ケーシングの前面に設けられた前板と、
環境温度を感知する温度センサと、
前記前板の背面に設けられた電気素子カバーとを備え、
該電気素子カバーと前記前板とによって電気素子室が形成され、
該電気素子室が通気口を備え、
前記電気素子カバーが、前記通気口が区画されたグリル部を備え、
前記電気素子カバーは、
前記前板に面する内面及び、該内面と対向する外表面を有する蓋板と、
該蓋板の外周縁に設けられた側壁であって、該側壁と前記蓋板の内面とによって、電気素子を収容し且つ内面が開放された第１収容室が区画される前記側壁と、
前記グリル部を構成するグリルハウジングであって、該グリルハウジングが前記蓋板の外表面から突出しており、前記グリルハウジングと、前記蓋板と、前記側壁とによって、該側壁を介して前記第１収容室と仕切られ且つ内面が開放された第２収容室が区画され、該第２収容室に前記温度センサが収容される前記グリルハウジングとを備え、
前記グリルハウジングの前記蓋板の外表面から突出した部分は、４分の１の球殼状である第１端部と、半円環状であり且つ外端面に端部グリッドが設けられた第２端部と、前記第１端部と前記第２端部との間に位置し且つお互いに間隔を置いた複数の半円環状グリッドとを備える空気調和機。
【請求項２】
前記温度センサが前記吸気口に隣接している請求項１に記載の空気調和機。
【請求項３】
前記グリル部が前記電気素子カバーの前記吸気口に隣接する側に位置する請求項１または請求項２に記載の空気調和機。
【請求項４】
前記通気口が前記吸気口と対向している請求項１から請求項３のいずれかに記載の空気調和機。
【請求項５】
前記グリルハウジングに回動可能に取り付けられ、且つ前記第２収容室の開放された内面を開閉するためのハウジングカバーを更に備える請求項１から請求項４のいずれかに記載の空気調和機。
【請求項６】
前記グリルハウジングに第１スナップベースが設けられ、前記ハウジングカバーに前記第１スナップベースと係合される第１スナップフックが設けられる請求項５に記載の空気調和機。
【請求項７】
前記ハウジングカバーの表面に、前記温度センサを前記第２収容室内に押し付けるための弾性押圧リブが設けられる請求項５または請求項６に記載の空気調和機。
【請求項８】
前記前板の背面にスタンドが設けられ、前記電気素子カバーが前記スタンドに着脱可能に接続されて前記スタンドとともに前記電気素子室を区画する請求項１から請求項７のいずれかに記載の空気調和機。
【請求項９】
前記スタンドに第２スナップベースが設けられ、前記電気素子カバーに前記第２スナップベースと係合される第２スナップフックが設けられる請求項８に記載の空気調和機。
【請求項１０】
前記前板の背面に凹部が設けられ、前記スタンドが前記凹部内に設けられる請求項８または請求項９に記載の空気調和機。
【請求項１１】
前記スタンドが前記凹部内に着脱可能に係合される請求項１０に記載の空気調和機。
【請求項１２】
前記電気素子カバーに、該電気素子カバーを前記スタンドから取り外すためのハンドクラスピング部が設けられる請求項８から請求項１１のいずれかに記載の空気調和機。
【発明の詳細な説明】
【技術分野】
【０００１】
本発明は、空気調和機の分野に関する。
【背景技術】
【０００２】
壁掛け型の空気調和機において、吸気口に近い位置に室温を検出するための温度センサが設けられる。従来技術において、温度センサは吸気口に近い蒸発器の表面に設けられる。しかし、蒸発器に近いため、蒸発器からの熱輻射を受けることで、得られた環境温度と実際の環境温度との間に明らかな偏差がある。
【０００３】
また、温度センサに接続された信号線は、組み立ての過程に蒸発器のフィンに接触して摩擦が起こり、信号線はフィンに切られ、温度センサが失効し、且つある程度の安全危険が潜んでいる。また、モータの蓋板に設けられた温度センサもあるが、このようにすると、吸気通路が狭くなってしまう。
【発明の概要】
【発明が解決しようとする課題】
【０００４】
本発明の目的は、従来技術における少なくとも一つの技術的課題を解決することである。そのため、本発明は空気調和機を提供する。
【課題を解決するための手段】
【０００５】
本発明の一実施形態に係る空気調和機は、吸気口と排気口とを有するケーシングと、該ケーシング内に設けられた蒸発器と、前記ケーシングの前面に設けられた前板と、該前板の背面に設けられ、環境温度を感知するための温度センサと、前記前板の背面に設けられた電気素子カバーとを備え、該電気素子カバーと前記前板とによって電気素子室が形成され、該電気素子室が通気口を備え、前記電気素子カバーが、前記通気口が区画されたグリル部を備え、前記電気素子カバーは、前記前板に面する内面及び、該内面と対向する外表面を有する蓋板と、該蓋板の外周縁に設けられた側壁であって、該側壁と前記蓋板の内面とによって、電気素子を収容し且つ内面が開放された第１収容室が区画される前記側壁と、前記グリル部を構成するグリルハウジングであって、該グリルハウジングが前記蓋板の外表面から突出しており、前記グリルハウジングと、前記蓋板と、前記側壁とによって、該側壁を介して前記第１収容室と仕切られ且つ内面が開放された第２収容室が区画され、該第２収容室に前記温度センサが収容される前記グリルハウジングとを備え、前記グリルハウジングの前記蓋板の外表面から突出した部分は、４分の１の球殼状である第１端部と、半円環状であり且つ外端面に端部グリッドが設けられた第２端部と、前記第１端部と前記第２端部との間に位置し且つお互いに間隔を置いた複数の半円環状グリッドとを備える。
【０００６】
本発明の好ましい一実施形態に係る空気調和機は、温度センサが前板に設けられるので、温度センサの感知値における蒸発器から受ける影響が小さい。
【０００７】
一部の実施形態においては、前記温度センサが前記吸気口に隣接していてもよい。
【０００８】
上記実施形態においては、前記空気調和機は、前記前板の背面に設けられた電気素子カバーを備え、該電気素子カバーと前記前板とによって電気素子室が形成され、該電気素子室が通気口を備える。
【０００９】
上記実施形態においては、前記電気素子カバーが、前記通気口が区画されたグリル部を備える。
【００１０】
一部の実施形態においては、前記グリル部が前記電気素子カバーの前記吸気口に隣接する側に位置していてもよい。
【００１１】
一部の実施形態においては、前記通気口が前記吸気口と対向していてもよい。
【００１２】
上記実施形態においては、前記電気素子カバーは、前記前板に面する内面及び、該内面と対向する外表面を有する蓋板と、該蓋板の外周縁に設けられた側壁であって、該側壁と前記蓋板の内面とによって、電気素子を収容し且つ内面が開放された第１収容室が区画される前記側壁と、前記グリル部を構成するグリルハウジングであって、該グリルハウジングが前記蓋板の外表面から突出しており、前記グリルハウジングと、前記蓋板と、前記側壁とによって、該側壁を介して前記第１収容室と仕切られ且つ内面が開放された第２収容室が区画され、該第２収容室に前記温度センサが収容される前記グリルハウジングとを備えている。
【００１３】
上記実施形態においては、前記グリルハウジングの前記蓋板の外表面から突出した部分は、４分の１の球殼状である第１端部と、半円環状であり且つ外端面に端部グリッドが設けられた第２端部と、前記第１端部と前記第２端部との間に位置し且つお互いに間隔を置いた複数の半円環状グリッドとを備えている。
【００１４】
一部の実施形態においては、前記空気調和機は、前記グリルハウジングに回動可能に取り付けられ、且つ前記第２収容室の開放された内面を開閉するためのハウジングカバーを更に備えていてもよい。
【００１５】
一部の実施形態においては、前記グリルハウジングに第１スナップベースが設けられ、前記ハウジングカバーに前記第１スナップベースと係合される第１スナップフックが設けられていてもよい。
【００１６】
一部の実施形態においては、前記ハウジングカバーの表面に、前記温度センサを前記第２収容室内に押し付けるための弾性押圧リブが設けられていてもよい。
【００１７】
一部の実施形態においては、前記前板の背面にスタンドが設けられ、前記電気素子カバーが前記スタンドに着脱可能に接続されて前記スタンドとともに前記電気素子室を区画してもよい。
【００１８】
一部の実施形態においては、前記スタンドに第２スナップベースが設けられ、前記電気素子カバーに前記第２スナップベースと係合される第２スナップフックが設けられていてもよい。
【００１９】
一部の実施形態においては、前記前板の背面に凹部が設けられ、前記スタンドが前記凹部内に設けられていてもよい。
【００２０】
一部の実施形態においては、前記スタンドが前記凹部内に着脱可能に係合されていてもよい。
【００２１】
一部の実施形態においては、前記電気素子カバーに、該電気素子カバーを前記スタンドから取り外すためのハンドクラスピング部が設けられていてもよい。
本発明の付加的な特徴と利点は、一部が以下の説明に示され、一部が以下の説明により明らかになる、又は本発明の実践により理解される。
【図面の簡単な説明】
【００２２】
本発明の上述及び／または付加的な特徴と利点は、下記の図面を参照した一実施形態に対する説明により、明らかになり、理解され易くなる。
【図１】本発明の好ましい一実施形態に係る空気調和機の斜視図である。
【図２】本発明の好ましい一実施形態に係る空気調和機の一部分解図である。
【図３】本発明の好ましい一実施形態に係る空気調和機の前板の平面図である。
【図４】図３における空気調和機のＩＶ−ＩＶ線断面概略図である。
【図５】図３における空気調和機のＶ−Ｖ線断面概略図である。
【図６】本発明の一実施形態に係る空気調和機の電気素子カバーの前面の斜視概略図である。
【図７】本発明の一実施形態に係る空気調和機の電気素子カバーの背面の斜視概略図である。
【図８】本発明の一実施形態に係る空気調和機の電気素子カバーのグリル部とハウジングカバーとの装着概略図である。
【図９】本発明の一実施形態に係る空気調和機の前板の斜視概略図である。
【図１０】本発明の一実施形態に係る空気調和機のスタンドの斜視概略図である。
【発明を実施するための形態】
【００２３】
以下に、本発明の一実施形態を詳細に説明する。前述の一実施形態の一例が図面に示されるが、同一または類似する符号は、常に、同一又は類似する部品、或いは、同一又は類似する機能を有する部品を表す。以下に、図面を参照しながら説明された一実施形態は例示的なものであり、本発明を解釈するためだけに用いられ、本発明を限定するものと理解されるものではない。
【００２４】
本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「反時計回り」などの用語が示す方位又は位置関係は、図面に示す方位又は位置関係に基づき、本発明を便利にまたは簡潔に説明するのに使用されるものであり、指定された装置又は部品が特定の方位にあり、特定の方位において構造され操作されると指示又は暗示するものではないので、本発明に対する限定と理解してはいけない。なお、「第１」、「第２」の用語は目的を説明するためだけに用いられるものであり、比較的な重要性を指示又は暗示するか、或いは示された技術的特徴の数を黙示的に指示すると理解されるものではない。そこで、「第１」、「第２」で限定されている特徴は少なくとも一つの上記特徴を含むことを明示又は暗示することができる。本発明の説明において、明確且つ具体的な限定がない限り、「複数」とは、二つ又は二つ以上のことを意味する。
【００２５】
なお、本発明の説明において、明確な規定と限定がない限り、「取り付け」、「互いに接続」、「接続」の用語の意味は広く理解されるべきである。例えば、固定接続や、着脱可能な接続や、或いは一体的な接続でも可能である。機械的な接続や、電気的な接続や、或いは互いに通信することも可能である。直接的に接続することや、中間媒体を介して間接的に接続することや、二つの部品の内部が連通することや、或いは二つの部品の間に相互の作用関係があることも可能である。当業者にとって、具体的な場合によって上記用語の本発明においての具体的な意味を理解することができる。
【００２６】
本発明において、明確な規定と限定がない限り、第一特徴が第二特徴の「上」又は「下」にあることは、第一特徴と第二特徴とが直接的に接触することを含んでいてもよいし、第一特徴と第二特徴とが直接的に接触することではなくそれらの間の別の特徴を介して接触することを含んでいてもよい。また、第一特徴が第二特徴の「上」、「上方」又は「上面」にあることは、第一特徴が第二特徴の真上及び斜め上にあることを含むか、或いは、単に第一特徴の水平高さが第二特徴より高いことだけを表す。第一特徴が第二特徴の「下」、「下方」又は「下面」にあることは、第一特徴が第二特徴の真上及び斜め上にあることを含むか、或いは、単に第一特徴の水平高さが第二特徴より低いことだけを表す。
【００２７】
以下の説明において、多くの異なる実施形態または実施例を提供することにより、本発明の異なる構造を実現する。本発明の説明を簡潔にするため、以下に特定の一例の部材及び配置について説明する。勿論、これらは例示するものであるに過ぎず、本発明を限定するという目的ではない。また、本発明は、異なる一例において参考にした数字及び／又は参考にしたアルファベットを重複することができる。このような重複は、簡潔及び明確にするためであり、これ自体が検討された各種の実施例及び／又は配置間の関係を示すものではない。また、本発明は、さまざまな特定の工法及び材料の一例を挙げているが、当業者は、その他の工法の適用及び／又はその他の材料の使用も意識することができる。
【００２８】
図１に示されるように、本発明の好ましい一実施形態に係る空気調和機１０は、吸気口１２０と排気口１２２とを有するケーシング１２と、ケーシング１２内に設けられた蒸発器１４と、ケーシング１２の前面に設けられた前板１６と、前板１６の背面に設けられ、環境温度を感知するための温度センサ１８とを備えている。
【００２９】
本発明の好ましい一実施形態に係る空気調和機１０は、温度センサ１８が前板１６に設けられるため、温度センサ１８の感知値における蒸発器１４から受ける影響が小さい。
【００３０】
具体的には、ケーシング１２は、矩形の箱状であり、ケーシング１２が蒸発器１４を収容しており、且つ蒸発器１４を露出させるための吸気口１２０と、空気を流出させるための排気口１２２とが設けられる。
前板１６は、矩形であり、ケーシング１２の前に回動可能に設けられ、前板１６はケーシング１２を閉ざすことができる。
【００３１】
吸気口１２０は、略矩形であり、空気調和機１０のケーシング１２の上端面に位置しており、且つケーシング１２の上端面の主要部分を占める。
排気口１２２は、略矩形であり、空気調和機１０のケーシング１２の下端面に位置しており、且つケーシング１２の下端面の主要部分を占める。
【００３２】
本実施形態においては、温度センサ１８が吸気口１２０に隣接している。
【００３３】
このようにすると、温度センサ１８の測定の正確度を向上させることができる。
【００３４】
具体的には、前板１６がケーシング１２を閉ざす場合に、温度センサ１８が吸気口１２０に近いので、温度センサ１８の測定の正確度が確保される。
【００３５】
図２から図５に示されるように、本実施形態において、空気調和機１０は、前板１６の背面に設けられた電気素子カバー２０であって、電気素子カバー２０と前板１６とによって、電気素子室２２が形成され、電気素子室２２が通気口２２０を有し、温度センサ１８が電気素子室２２内に設けられる電気素子カバー２０を更に備えている。
【００３６】
このようにすることで、電気素子カバー２０を設けることにより、温度センサ１８の蒸発器１４から受ける影響がより小さくされる。
【００３７】
具体的には、電気素子カバー２０は矩形であり、電気素子カバー２０と前板１９とによって矩形の電気素子室２２が形成され、温度センサ１８は電気素子室２２内に設けられ、且つ通気口２２０に隣接している。
【００３８】
本実施形態においては、電気素子カバー２０が通気口２２０が区画されたグリル部２００を備える。
【００３９】
このようにすることで、温度センサ１８がグリル部２００の通気口２２０を介して外部環境と連通され、環境温度をより良好に感知することができる。
【００４０】
本実施形態においては、グリル部２００が電気素子カバー２０の吸気口１２０に隣接する側に位置する。
【００４１】
このようにすることで、グリル部２００は吸気口１２０に近く設けられることにより、温度センサ１８の測定の正確度を向上させることができる。
【００４２】
本実施形態においては、通気口２２０が吸気口１２０と対向している。
【００４３】
このようにすることで、通気口２２０が吸気口１２０と対向することにより、温度センサ１８の測定の正確度を向上させることができる。
【００４４】
具体的には、グリル部２００が略筒状であり、温度センサ１８が柱状であり、且つ筒状のグリル部２００の軸方向に沿って設けられ、且つグリル部２００内に収容されている。温度センサ１８とグリル部２００とは、形状や、位置上でできる限り結合されることにより温度センサ１８の外部環境と連通される面積を大きくし、温度センサ１８の測定の正確度を向上させる。
【００４５】
図６から図８に示されるように、本実施形態において、電気素子カバー２０は、蓋板２０２と、側壁２０４と、グリルハウジング２０６とを備えている。
蓋板２０２は、前板１６に向かう内面２０８と、内面２０８と対向する外表面２０ａとを有する。
側壁２０４は、蓋板２０２の外周縁に設けられ、側壁２０４と蓋板２０２の内面２０８とによって、電気素子２４を収容し且つ内面２０８が開放された第１収容室２０ｂが区画される。
【００４６】
グリルハウジング２０６はグリル部２００を構成し、グリルハウジング２０６は蓋板２０２の外表面２０ａから突出しており、グリルハウジング２０６と、蓋板２０２と、側壁２０４とによって、側壁２０４を介して第１収容室２０ｂと仕切られ且つ内面２０８が開放された第２収容室２０ｃが区画される。
温度センサ１８は、第２収容室２０ｃの室内に収容されている。
【００４７】
このようにすることで、温度センサ１８は、第２収容室２０ｃにより電気素子２４を収容する第１収容室２０ｂと隔離され、温度センサ１８は電気素子２４の発熱による影響を受けないので、温度センサ１８の測定はより正確になる。
【００４８】
本実施形態において、グリルハウジング２０６の蓋板２０２の外表面２０ａから突出した部分は、４分の１の球殼状である第１端部２０ｄと、半円環状であり且つ外端面に端部グリッド２０ｆが設けられた第２端部２０ｅと、第１端部２０ｄと第２端部２０ｅとの間に位置し且つお互いに間隔を置いた複数の半円環状グリッド２０ｃとを備えている。
【００４９】
このようにすることで、間隔を空けて設けられた円環状グリッド２０ｃと端部グリッド２０ｆとは、気体の第２収容室２０ｃに入る角度を最適化することができるため、気体を各方向から第２収容室２０ｃに入らせることができ、温度測定の正確度を向上させる。具体的には、電気素子２４は回路基板及び発光ダイオードディスプレイ等であり、第１収容室２０ｂは矩形であり、電気素子２４は第１収容室２０ｂ内に着脱可能に固定されている。第２収容室２０ｃは筒状であり、且つ大きさが温度センサ１８と結合される。勿論、電気素子カバー２０の適用は本実施形態に限らず、その他の適切な製品又は場合にも適用される。
【００５０】
本実施形態において、空気調和機１０は、グリルハウジング２０６に回動可能に取り付けられ、第２収容室２０ｃの開放された内面２０８を開閉し、矩形であり、且つ大きさがグリル部２００と結合されるハウジングカバー２６を更に備える。
【００５１】
このようにすることで、ハウジングカバー２６は、温度センサ１８を第２収容室２０ｃに固定させ、空気調和機１０の移動過程で温度センサ１８がグリルハウジング２０６の外へ落ちないようにすることができ、温度センサ１８が保護される。
【００５２】
本実施形態においては、グリルハウジング２０６に第１スナップベース２０ｇが設けられ、ハウジングカバー２６に第１スナップベース２０ｇと係合される第１スナップフック２６０が設けられる。
【００５３】
このようにすることで、第１スナップベース２０ｇは第１スナップフック２６０と係合されることにより、ハウジングカバー２６とグリルハウジング２０６とを固定し、構造が簡単である上に、着脱が便利になる。
【００５４】
具体的には、グリルハウジング２０６は、自体の軸方向と垂直する方向に沿って外へ突出して第１スナップベース２０ｇを形成し、第１スナップベース２０ｇは矩形である。ハウジングカバー２６に第１スナップベース２０ｇと係合される第１スナップフック２６０が対応的に設けられ、第１スナップフック２６０はハウジングカバー２６の内側から上へ延伸し、且つ頂端に係合面２６４が突出して形成される。第１スナップフック２６０が第１スナップベース２０ｇを引っ掛ける場合に、第１スナップベース２０ｇの底面２０ｊは係合面２６４を止める。
【００５５】
本実施形態においては、ハウジングカバー２６の表面に、温度センサ１８を第２収容室２０ｃ内に押し付けるための弾性押圧リブ２６２が設けられている。
【００５６】
このようにすると、弾性押圧リブ２６２は温度センサ１８を第２収容室２０ｃ内に押し付けることにより、温度センサ１８は外部環境とより良好に連通され接触され、環境温度がより正確に感知される。
【００５７】
図９に示されるように、本実施形態においては、前板１６の背面にスタンド２８が設けられ、電気素子カバー２０がスタンド２８に着脱可能に接続されてスタンド２８とともに電気素子室２２を区画する。
【００５８】
このようにすることで、着脱可能なスタンド２８が電気素子カバー２０と配合して取り付けられることにより、温度センサ１８を前板１６の背面に固定し、そうすれば、着脱が便利になり、構造が簡単である上に、補修が便利になる。
【００５９】
図１０に示されるように、本実施形態においては、スタンド２８に第２スナップベース２８０が設けられ、電気素子カバー２０に第２スナップベース２８０と係合される第２スナップフック２０ｈが設けられる。
【００６０】
このようにすることで、第２スナップベース２８０が第２スナップフック２０ｈと係合されることにより、スタンド２８を電気素子カバー２０に固定し、構造が簡単である上に、着脱が便利になる。
【００６１】
具体的には、スタンド２８は、第１側２８２と、第１側２８２と反対する第２側２８４とを備える。
電気素子カバー２０は、第１側２８２に対応する第３側２０ｋと、第２側２８４に対応する第４側２０１とを備える。スタンド２８にはピンベース２８６が設けられ、電気素子カバー２０にはピン２０ｍが対応的に設けられる。
【００６２】
ピンベース２８６は二つあり、且つ第１側２８２に沿って第１側２８２の両端に分布されている。
第２スナップベース２８０は二つあり、且つ第２側２８４に沿って第２側２８４の両端に分布されている。
【００６３】
ピン２０ｍは二つあり、且つ第３側２０ｋに沿って第３側２０ｋの両端に分布されている。
第２スナップフック２０ｈは二つあり、且つ第４側２０１に沿って第４側２０１の両端に分布されている。
【００６４】
ピンベース２８６に略矩形の盲孔であるピンホール２８８が開設され、第２スナップベース２８０に略矩形である一つの貫通孔が開設される。
ピン２０ｍは、内面２０８から上へ延伸する連結シート２０ｎ及び連結シート２０ｎの底端から第３側２０ｋに延伸するピンシート２０ｏを含み、ピンシート２０ｏはピンホール２８８に差し込む。
【００６５】
スタンド２８が電気素子カバー２０と組み立てられる場合に、ピンシート２０ｏはピンホール２８８内に斜めに差し込み、その後、電気素子カバー２０に近い第４側２０１の所で下へ押し、第２スナップフック２０ｈを第２スナップベース２８０に係合させる。このように「内部係合固定」の方式でスタンド２８と電気素子カバー２０と取り付けを実現し、伝統的なねじによる固定である「外部係合固定」の方式に比べ、空気調和機１０の組立は便利であり、外観が完全的であり、美しい。本実施形態において、前板１６の背面に矩形の凹部１６０が設けられ、スタンド２８が凹部１６０内に設けられ、凹部１６０の形状、大きさがスタンド２８と結合されている。
【００６６】
このようにすることで、スタンド２８は前板１６の凹部１６０内に設けられることにより、空気調和機１０の空間を合理的に利用し、スタンド２８とスタンド２８に固定された電気素子カバー２０とは吸気口２２０を遮蔽することがない。
【００６７】
本実施形態においては、スタンド２８が凹部１６０内に着脱可能に係合されている。
【００６８】
このようにすることで、構造が簡単である上に、着脱が便利になる。
【００６９】
本実施形態においては、電気素子カバー２０に電気素子カバー２０をスタンド２８から取り外すためのハンドクラスピング部２０ｉが設けられる。
【００７０】
このようにすることで電気素子カバー２０をスタンド２８から取り外すことが便利になる。
【００７１】
具体的には、ハンドクラスピング部２０ｉは、こじ開け部材２０ｐと支持部材２０ｑとを備える。
こじ開け部材２０ｐは、第２スナップフック２０ｈに近い電気素子カバー２０内に設けられ、支持部材２０ｑは第２スナップベース２８０に近いスタンド２８内に設けられる。
こじ開け部材２０ｐは、第２スナップフック２０ｈに近く且つ第４側２０１から内へ凹むＵ型円弧面２０ｒと、Ｕ型円弧面２０ｒ内に位置して支持部材２０ｑをぴったり収容する結合孔２０ｓと、内面２０８から上へ延伸し且つＵ型円弧面２０ｒより低く、結合孔２０ｓとＵ型の円弧面２０ｒとの間に位置するこじ開け板２０ｔとを備える。
【００７２】
支持部材２０ｑは略矩形であり、且つＵ型孔２０ｕが開設される。
好ましくは、こじ開け部材２０ｐは２組の第２スナップフック２０ｈと第２スナップベース２８０との中間に位置する。ハンドクラスピング部２０ｉにより第２スナップフック２０ｈと第２スナップベース２８０との結合を容易にこじ開けることができ、電気素子カバー２０の着脱が便利になる。
【００７３】
本発明の説明において、「一実施形態」、「一部の実施形態」、「例示的な実施形態」、「一例」、「具体的な一例」、或いは「一部の例」などの用語を参考した説明とは前記実施形態或いは一例に合わせて説明された具体的な特徴、構成、材料或いは特徴が、本発明の少なくとも一つの実施形態或いは一例に含まれることを意味する。本明細書において、上記用語に対する例示的な説明は、必ずしも同じ実施形態或いは一例を示すことではない。また、説明された具体的な特徴、構成、材料或いは特徴は、いずれか一つ或いは複数の実施形態又は一例において適切な方式で結合することができる。
【００７４】
本発明の一実施形態を示して説明したが、当業者は、本発明の原理及び主旨から逸脱しない限り、これらの実施形態に対して複種の変化、修正、入れ替え及び変形を行うことができる。本発明の範囲は、特許請求の範囲及びその等価物により限定される。
【図１】
0006440838.tif 000002
【図２】
0006440838.tif 000003
【図３】
0006440838.tif 000004
【図４】
0006440838.tif 000005
【図５】
0006440838.tif 000006
【図６】
0006440838.tif 000007
【図７】
0006440838.tif 000008
【図８】
0006440838.tif 000009
【図９】
0006440838.tif 000010
【図１０】
0006440838.tif 000011